(57)【要約】【課題】洗濯兼脱水槽の周壁の内側に水路が突設してある洗濯乾燥機であっても、乾燥行程において洗濯物を確実に上下に入替えることができ、そのために大きなトルクも格別に必要としない洗濯乾燥機を得る。【解決手段】底部に攪拌翼（パルセータ）８を設けた洗濯兼脱水槽１０内に温風を供給する乾燥行程を洗濯行程の次に設けた洗濯乾燥機において、乾燥行程で洗濯物を上下に攪拌するよう上下に回転する回転体としてのローラ１２を洗濯兼脱水槽１０内に配設した。【選択図】        図２
2009273575.tif 000002
【特許請求の範囲】
【請求項１】
底部に攪拌翼を設けた洗濯兼脱水槽内に温風を供給する乾燥行程を洗濯行程の次に設けた洗濯乾燥機において、乾燥行程で洗濯物を上下に攪拌するよう上下に回転する回転体を洗濯兼脱水槽内に配設したことを特徴とする洗濯乾燥機。
【請求項２】
前記回転体は、洗濯兼脱水槽の槽壁に設けてある水路カバーに取付けるローラであることを特徴とする請求項１記載の洗濯乾燥機。
【請求項３】
前記回転体は、洗濯兼脱水槽の底部に配設してある攪拌翼に取付けるローラであることを特徴とする請求項１記載の洗濯乾燥機。
【請求項４】
前記回転体は、洗濯兼脱水槽底部に取付けるローラであることを特徴とする請求項１記載の洗濯乾燥機。
【請求項５】
前記ローラは、複数個を縦横に隙間を設けて並設し、前記隙間を洗濯兼脱水槽内に温風を吹出す吹出口に形成したことを特徴とする請求項２から請求項４のいずれかに記載の洗濯乾燥機。
【請求項６】
前記攪拌翼に温風吹出し用の吹出し孔を形成したことを特徴とする請求項１または請求項３記載の洗濯乾燥機。
【発明の詳細な説明】
【技術分野】
【０００１】
本発明は、洗濯行程の次に乾燥行程を設けた洗濯乾燥機に関するものである。
【背景技術】
【０００２】
洗濯乾燥機は、図２にも示すように外箱１内に防振装置を介して水槽４を揺動自在に吊支し、底部に攪拌翼８を有する洗濯兼脱水槽１０を前記水槽４内に配設し、水槽４の下方にモータ２を配設し、このモータ２に回転軸３を介して前記洗濯兼脱水槽１０および攪拌翼８が接続される。
【０００３】
図中５は洗濯兼脱水槽１０の上部開口である洗濯物の投入口の周縁に設けたバランサ、６は水槽４の上部開口縁に取付けた水槽カバー、７は水槽カバー６の内側の開口を閉塞する内フタを示す。また、洗濯兼脱水槽１０の側壁の内側には水路１１が形成されて洗濯兼脱水槽１０内の洗濯液を汲み上げて循環させ、洗浄効果を高めている。
【０００４】
水槽４の下方にヒータ９を配設し、このヒータ９に一端が接続されるダクト９ａを水槽４の外側部にそって立ち上げ、ダクト９ａの他端を内フタ７に設けた温風の吹出し口に開口する。
【０００５】
以上のようにして洗濯するには、水槽４および洗濯兼脱水槽１０内に給水し、洗剤と洗濯物を投入すれば、洗濯兼脱水槽１０、攪拌翼８が回転して洗い、すすぎ、脱水の行程が自動的に進行し、最後に乾燥行程に移行する。
【０００６】
この乾燥行程では、攪拌翼８が回転して洗濯物を攪拌すると同時に、ヒータ９に通電され温風が内フタ７に設けた吹出し口から洗濯兼脱水槽１０内に吹出されて、内部の洗濯物を乾燥させるが、乾燥行程に移行した洗濯物は水分を含んでいるため、洗濯物が十分に攪拌されず、乾燥ムラが生じ、運転終了後に洗濯兼脱水槽１０から洗濯物を取出すと完全には乾燥されていない部分がある。
【０００７】
かかる不都合を解消するものとして、従来、例えば攪拌翼の上面に隆起部を形成し、このような攪拌翼の回転で洗濯物を上下に振動させることで乾燥効率を向上させるようにしたものがある（例えば特許文献１参照）。
【０００８】
これは、攪拌翼（パルセータ）の上面を、回転中心から放射状に形成される複数の隆起部と、この隆起部の間に形成される谷部とから構成し、前記隆起部は回転中心から外周方向に徐々に隆起する形状を備え、前記中心から所定の位置はなれた円周の断面形状を展開したときに、前記パルセータの表面は、隆起部から徐々に谷部に至り、谷部から徐々に隆起部に至る波形状とするものである。
【特許文献１】特開２００５−８７５７９号公報
【発明の開示】
【発明が解決しようとする課題】
【０００９】
洗濯兼脱水槽の内周壁に形成してある水路は、洗濯兼脱水槽の内側に突出しているため、前記特開２００５−８７５７９号公報に記載の発明では、洗濯物を上下に振動させたとき、洗濯物がこの水路に当ってしまい、洗濯物をスムーズに上下に振動させることが困難なことがある。
【００１０】
また、水路に当った洗濯物を強制的に上下に入替えようとすると、大きなトルクを必要とする。
【００１１】
本発明は前記不都合を解消するものとして、洗濯兼脱水槽の周壁の内側に水路が突設してある洗濯乾燥機であっても、乾燥行程において洗濯物を確実に上下に入替えることができ、そのために大きなトルクも格別に必要としない洗濯乾燥機を提供するものである。
【課題を解決するための手段】
【００１２】
請求項１記載の本発明は、底部に攪拌翼を設けた洗濯兼脱水槽内に温風を供給する乾燥行程を洗濯行程の次に設けた洗濯乾燥機において、乾燥行程で洗濯物を上下に攪拌するよう上下に回転する回転体を洗濯兼脱水槽内に配設したことを要旨とするものである。
【発明の効果】
【００１３】
以上述べたように本発明の洗濯乾燥機は、乾燥行程では洗濯兼脱水槽内で回転体が上下方向に回転するから、洗濯物はこの回転体の上下の回転によって上方に持ち上げられ、上下に攪拌される。よって、洗濯物の間に隙間が形成されこの隙間に温風が入り込むことで洗濯物の各部に満遍なく温風が当り、乾燥ムラを防止できるとともに乾燥効率が向上する。
【００１４】
また、前記のように回転体の回転作用によって洗濯物が上下に入れ替るから、そのために大きなトルクは必要ではない。
【発明を実施するための最良の形態】
【００１５】
以下、図面について本発明の実施形態を詳細に説明する。図１は本発明の洗濯乾燥機の第１実施形態を示す要部の正面図で、洗濯乾燥機の全体構成は図２について既に説明したとおりであるから、ここでの詳細な説明は省略する。
【００１６】
本発明は、洗濯兼脱水槽１０の内周壁の下方部分に水路１１が突設されている洗濯乾燥機において、前記水路１１を形成するカバーに上下に回転する回転体としてローラ１２を配設した。
【００１７】
このローラ１２は、一例として図１に示すように軸１２ａに複数（図示の例では３個）のローラ単体１２ｂを串団子状に横列に並べたものを複数個（図示の例では７個）縦列に水平に、あるいは軸１２ａとローラ単体１２ｂが片側にやや傾いた状態になるように並べ、各ローラ単体１２ｂの間には隙間１４を設けた。なお、ローラ１２は図１に示すような複数個の集合で構成してもよいが、横細長の筒状の一本物を縦列に水平または斜めにに並べてもよい。これによりローラ１２は上下方向に回転する向きで洗濯兼脱水槽１０の内周壁に取付けられる。
【００１８】
ローラ１２の断面形状は、図３に示したものに限定されず、丸形や他の多角形としてもよく、それら表面に突起が取り付けられるような形状として、洗濯物との摩擦を持たせる構造とすることで、より効果的なものとなる。
表面に、水路１１は、遠心力により洗濯物からの受ける力を斜め上方へ変換させるために、斜めに傾けるように取付けた。
【００１９】
ローラ１２の水路１１への固定手段は、例えば軸１２ａを水路カバーに形成した孔に差込む方法、軸１２ａの端にＬ字形の取付金具１６を取付け、この取付金具１６をビス１５で水路カバーに固定する方法など、適宜選択する。ビス止めの場合は、ローラ１２を水路１１に確実に固定でき、洗濯物がぶつかっても外れるおそれがない。
【００２０】
次に作用について説明する。乾燥行程では、ヒータ９に通電されて温風がダクト９ａを通って内フタ７に設けてある吹出し口から洗濯兼脱水槽１０内に吹出され、槽内の洗濯物に当てられる。
【００２１】
同時に、モータ２に通電されて攪拌翼８が回転し、洗濯兼脱水槽１０内の洗濯物が攪拌されると、遠心力の作用により洗濯物が洗濯兼脱水槽１０内で周壁の方向に向って移動し、周壁に突出して設けてある水路１１に当る。
【００２２】
このとき、水路１１の表側には上下方向に回転するローラ１２が配設してあるので、遠心力で水路１１に当った洗濯物は、ローラ１２にぶつかることで遠心力による外方へ力が斜め上方への力に変換されて、洗濯兼脱水槽１０内で上方に移動する。これにより、洗濯物は上下に入れ替る。
【００２３】
この場合、洗濯物を上方に移動させるための力は、遠心力を変換させて得られるから、格別に大きなトルクを必要としない。
【００２４】
そして、洗濯物が上下に入れ替ることにより、洗濯物の間に隙間が形成され、内フタ７に設けた吹出し口から吹出される温風がこの隙間に入りやすくなるので、洗濯物の各部に温風が当って乾燥ムラを防止でき、乾燥時間が短縮される。
【００２５】
前記第１実施形態は、温風の吹出し口を内フタ７の箇所のみとしたが、第２実施形態ではローラ１２のローラ単体１２ｂ間の隙間１４を温風の吹出し口に形成することもできる。
【００２６】
温風は前記のように内フタ７に設けた吹出し口から洗濯兼脱水槽１０内に吹出されるものであるが、内フタ７は洗濯兼脱水槽１０の上部周縁に密着しているものではないため、温風の一部は洗濯兼脱水槽１０と水槽４との隙間に流れ込む。
【００２７】
この洗濯兼脱水槽１０と水槽４との間に流れ込んだ温風を洗濯兼脱水槽１０の背後から前記隙間１４を吹出し口として洗濯兼脱水槽１０内に吹出させる。これにより、洗濯物には洗濯兼脱水槽１０の上方に設けた内フタ７の吹出し口と、下方の隙間１４とで上下両方から温風が吹出され、乾燥性能をさらにアップできる。
【００２８】
この場合、図３に示すように水路１１の下方の洗濯兼脱水槽１０の周壁をラビリンス構造１３とすることで、洗濯兼脱水槽１０と水槽４との間に漏れた温風を水路１１より下方に流れにくくすることができ、ローラ１２の隙間１４から温風を確実に洗濯兼脱水槽１０内に送ることができる。
【００２９】
第３実施形態として、図５に示すように攪拌翼８であるパルセータの平な平坦部分にもローラ１２を取付けることができる。これにより、攪拌翼８と洗濯物との摩擦をローラ１２の回転により低減することができ、これまで以上のトルクを必要とせずに揉み洗いが可能となり、洗濯物の上下入れ替えが促進されて、洗濯物の間に隙間を形成でき洗濯物に温風を満遍なく当てることができる。
【００３０】
図５のように攪拌翼８であるパルセータの平坦部分ではなく図６に示すように角度が付いている箇所にローラを取り付けても良い。その場合、回転体は図示では横方向に回転するようになっているが、上下方向に回転するようにしてもよい。
【００３１】
第４実施形態として図示は省略するが洗濯兼脱水槽１０の底部にローラ１２を取付けてもよい。この場合も第３実施形態と同様の作用を有する。
【００３２】
第５実施形態としてローラ１２に加えて、図６に示すように攪拌翼８であるパルセータに温風吹出し用の複数の孔１７を形成してもよい。ヒータ９からの温風を攪拌翼８に設けた孔１７に導く構造としては、ヒータ９から攪拌翼８の下方にのびるダクトを配設し、このダクトの先端を前記孔１７に接続し、ダクトには洗濯行程時には閉塞し、乾燥行程時には開く弁を配設する。
【００３３】
これにより、乾燥行程時にヒータ９に通電するとともにモータ２に通電して攪拌翼８を回転すると、攪拌翼８に設けた孔１７から温風が吹出し、洗濯物に当たる。このとき、攪拌翼８が回転しているから孔１７の位置も移動して孔１７から吹出す温風は一点に集中することがなく、そして攪拌されている洗濯物に対して下方からも温風が当てられることになるから、洗濯物の各部に温風が満遍なく当り、乾燥ムラを防げる。
【００３４】
また、前記ダクトに設けた弁は、洗濯行程時には閉じているから洗濯行程で水がダクト、ヒータ側に浸入することはない。
【００３５】
なお、ダクトの配設部位は、前記のような攪拌翼８の下方に限定されるものではなく、乾燥行程時に洗濯兼脱水槽１０を回転させる洗濯乾燥機の場合は、洗濯兼脱水槽１０の側部周壁にダクトを開口することもできる。
【図面の簡単な説明】
【００３６】
【図１】本発明の洗濯乾燥機の第１、第２実施形態を示す要部であるローラ部分の正面図である。
【図２】本発明の洗濯乾燥機の第１、第２実施形態を示す縦断側面図である。
【図３】本発明の洗濯乾燥機の第１、第２実施形態を示す要部であるローラ部分の縦断側面図である。
【図４】本発明の洗濯乾燥機の第１、第２実施形態を示す要部であるローラ部分取付部の正面図である。
【図５】本発明の洗濯乾燥機の第３実施形態を示す要部である攪拌翼の平面図である。
【図６】本発明の洗濯乾燥機の第５実施形態を示す要部である攪拌翼の平面図である。
【符号の説明】
【００３７】
１  外箱                        ２  モータ
３  回転軸                      ４  水槽
５  バランサ                    ６  水槽カバー
７  内フタ                      ８  攪拌翼
９  ヒータ                      ９ａ  ダクト
１０  洗濯兼脱水槽              １１  水路
１２  ローラ                    １２ａ  軸
１２ｂ  ローラ単体              １３  ラビリンス構造
１４  隙間                      １５  ビス
１６  取付金具                  １７  孔
【図１】
2009273575.tif 000003
【図２】
2009273575.tif 000004
【図３】
2009273575.tif 000005
【図４】
2009273575.tif 000006
【図５】
2009273575.tif 000007
【図６】
2009273575.tif 000008